(57)【特許請求の範囲】
【請求項１】
無線端末が無線ネットワーク側へ送信すべきデータを有するか否かを検出するステップであって、前記送信すべきデータはシグナリングデータ又はユーザデータを有する、ステップと、
前記無線端末が前記無線ネットワーク側へ送信すべきデータを有するか否かを検出するステップの結果が、前記無線端末が送信すべきデータを有しないである場合、前記無線端末の電力増幅器（ＰＡ）が非動作状態であることを確認するステップと、
前記無線端末が前記無線ネットワーク側へ送信すべきデータを有するか否かを検出するステップの結果が、前記無線端末が送信すべきデータを有するである場合、前記無線端末の前記ＰＡが動作状態であることを確認するステップと、
前記無線端末が前記無線ネットワーク側へ送信すべきデータを有するか否かを検出するステップは、
前記無線端末のベースバンドチップにより、前記無線端末内にあり前記無線端末の前記ベースバンドチップに接続される第１のメモリ内に少なくとも１つの無線フレームが存在するか否かを検出するステップ、
を有し、
前記無線端末が前記無線ネットワーク側へ送信すべきデータを有するか否かを検出するステップの結果が、前記無線端末は送信すべきデータを有しないであることは、前記第１のメモリ内に無線フレームが存在しないことを有し、
前記無線端末が前記無線ネットワーク側へ送信すべきデータを有するか否かを検出するステップの結果が、前記無線端末は送信すべきデータを有するであることは、前記第１のメモリ内に少なくとも１つの無線フレームが存在することを有し、前記少なくとも１つの無線フレームは、前記無線端末のアプリケーションプロセッサ（ＡＰ）から前記ベースバンドチップにより受信された後に、前記第１のメモリに格納される、データ送信方法。
【請求項２】
前記無線端末の前記ＰＡが前記動作状態であることを確認するステップの後に、前記方法は、
前記動作状態である前記ＰＡを通じて、前記無線端末内の前記送信すべきデータを増幅し、前記データを前記無線ネットワーク側へ送信するステップ、
を有する請求項１に記載の方法。
【請求項３】
前記無線端末が前記無線ネットワーク側へ送信すべきデータを有するか否かを検出するステップは、
ベースバンドチップのエンコーダ内に送信すべきデータが存在するか否かを検出するステップ、
を有する、請求項１又は２に記載の方法。
【請求項４】
前記無線端末が前記無線ネットワーク側へ送信すべきデータを有するか否かを検出するステップは、
前記無線端末の前記ベースバンドチップにより、前記無線端末内にあり前記無線端末の前記ベースバンドチップに接続される又は前記ベースバンドチップ内にある第２のメモリ内にデータが存在するか否かを決定するステップ、
を更に有し、
前記無線端末が前記無線ネットワーク側へ送信すべきデータを有するか否かを検出するステップの結果が、前記無線端末が送信すべきデータを有しないことは、前記第２のメモリ内にデータが存在しないことを有し、
前記無線端末が前記無線ネットワーク側へ送信すべきデータを有するか否かを検出するステップの結果が、前記無線端末が送信すべきデータを有することは、前記第２のメモリ内にデータが存在することを有し、前記データは前記少なくとも１つの無線フレームの全部又は一部である、
請求項１に記載の方法。
【請求項５】
前記無線端末の前記ＰＡが前記非動作状態であることを確認するステップは、
前記無線端末のベースバンドチップにより、ＳＰＩ（serial  peripheral  interface）バスを通じて、第１のコマンドを前記ＰＡのＳＰＩへ送信するステップ、
を有し、
前記第１のコマンドは、スリープ状態になるよう前記ＰＡを制御する、
請求項１乃至４のいずれか一項に記載の方法。
【請求項６】
前記無線端末の前記ＰＡが前記非動作状態であることを確認するステップは、
前記無線端末のベースバンドチップにより、ｄｉｇＲＦ（digital  radio  frequency）バスを通じて、第２のコマンドを前記ＰＡのｄｉｇＲＦインタフェースへ送信するステップ、
を有し、
前記第２のコマンドは、スリープ状態になるよう前記ＰＡを制御する、
請求項１乃至４のいずれか一項に記載の方法。
【請求項７】
前記無線端末の前記ＰＡが前記非動作状態であることを確認するステップは、
前記無線端末のベースバンドチップにより、第３のコマンドを前記ＰＡのＥＮ（enable  interface）へ送信するステップ、
を有し、
前記第３のコマンドは、スリープ状態になるよう前記ＰＡを制御する、
請求項１乃至４のいずれか一項に記載の方法。
【請求項８】
前記無線端末の前記ＰＡが前記非動作状態であることを確認するステップは、
前記無線端末の電源により、前記ＰＡへの電力供給を停止するステップであって、したがって前記ＰＡは電源を切られる、ステップ、
を有する、
請求項１乃至４のいずれか一項に記載の方法。
【請求項９】
無線端末であって、ベースバンドチップと電力増幅器（ＰＡ）と通信機とを有し、
前記ベースバンドチップは、前記無線端末が送信すべきデータを有するか否かを検出し、前記送信すべきデータはシグナリングデータ又はユーザデータを有し、検出結果が、前記ベースバンドチップが送信すべきデータを有しないである場合、前記ＰＡに、前記ＰＡが非動作状態であることを確認する第１のメッセージを送信し、前記検出結果が、前記ベースバンドチップは送信すべきデータを有するである場合、前記ＰＡに、前記ＰＡが動作状態であることを確認する第２のメッセージを送信するよう構成され、
前記ＰＡは、前記ベースバンドチップにより送信された前記第１のメッセージを受信し、前記第１のメッセージに従って、前記ＰＡは非動作状態であることを確認するよう構成され、又は前記ベースバンドチップにより送信された前記第２のメッセージを受信し、前記第２のメッセージに従って、前記ＰＡは動作状態であることを確認するよう構成され、
前記通信機は、前記ベースバンドチップから前記送信すべきデータを受信し、前記送信すべきデータを変調し、変調した第１のデータを前記ＰＡへ送信するよう構成され、
前記ＰＡは、前記変調された第１のデータを増幅するよう更に構成され、
前記無線端末は、前記ＰＡにより増幅された第２のデータを無線ネットワーク側へ送信するよう構成されるアンテナを更に有する、
無線端末。
【請求項１０】
前記送信すべきデータを生成し、前記データを前記ベースバンドチップへ送信するよう構成されるアプリケーションプロセッサ（ＡＰ）を更に有する請求項９に記載の無線端末。
【請求項１１】
前記ベースバンドチップは、前記送信すべきデータを前記ＡＰから受信し、前記送信すべきデータの少なくとも１つの無線フレームを第１のメモリに格納し、前記送信すべきデータが前記第１のメモリに存在しない場合、対応する検出結果は、前記ベースバンドチップは送信すべきデータを有しないであり、前記送信すべきデータの少なくとも１つの無線フレームが前記第１のメモリに存在する場合、対応する検出結果は、前記ベースバンドチップは送信すべきデータを有するであり、
前記無線端末は、
前記ベースバンドチップに接続され、前記送信すべきデータの少なくとも１つの無線フレームを格納するよう構成される前記第１のメモリ、
を更に有する、請求項１０に記載の無線端末。
【請求項１２】
少なくとも１つの無線フレームが前記第１のメモリ内に存在するとき、前記ベースバンドチップは、第２のメモリに、前記第１のメモリ内の少なくとも１つの無線フレームの全部又は一部を格納し、前記第２のメモリにデータが存在しない場合、対応する検出結果は、前記ベースバンドチップは送信すべきデータを有しないであり、前記第２のメモリにデータが存在する場合、対応する検出結果は、前記ベースバンドチップは送信すべきデータを有するであり、前記データは、少なくとも１つの無線フレームの全部又は一部であり、
前記無線端末は、
前記ベースバンドチップに接続され又は前記ベースバンドチップ内に置かれ、前記データを格納するよう構成される前記第２のメモリ、
を更に有する、請求項１１に記載の無線端末。
【請求項１３】
前記ベースバンドチップにより、前記無線端末が送信すべきデータを有するか否かを検出するステップは、前記ベースバンドチップにより、前記送信すべきデータが前記ベースバンドチップのエンコーダ内に存在するか否かを検出するステップを有し、前記送信すべきデータは、前記ＡＰにより前記ベースバンドチップへ送信される、請求項１０に記載の無線端末。
【請求項１４】
前記ベースバンドチップにより、前記ＰＡに、前記ＰＡが非動作状態であることを確認する前記第１のメッセージを送信するステップは、前記ベースバンドチップにより、ＳＰＩ（serial  peripheral  interface）バスを通じて、前記ＰＡのＳＰＩへ第１のコマンドを送信するステップを有し、前記第１のコマンドは、スリープ状態になるよう前記ＰＡを制御する、請求項９乃至１３のいずれか一項に記載の無線端末。
【請求項１５】
前記ベースバンドチップにより、前記ＰＡに、前記ＰＡが非動作状態であることを確認する前記第１のメッセージを送信するステップは、前記ベースバンドチップにより、ｄｉｇＲＦ（digital  radio  frequency）バスを通じて、前記ＰＡのｄｉｇＲＦインタフェースへ第２のコマンドを送信するステップを有し、前記第２のコマンドは、スリープ状態になるよう前記ＰＡを制御する、請求項９乃至１３のいずれか一項に記載の無線端末。
【請求項１６】
前記ベースバンドチップにより、前記ＰＡに、前記ＰＡが非動作状態であることを確認する前記第１のメッセージを送信するステップは、前記ベースバンドチップにより、前記ＰＡのＥＮ（enable  interface）へ第３のコマンドを送信するステップを有し、前記第３のコマンドは、スリープ状態になるよう前記ＰＡを制御する、請求項９乃至１３のいずれか一項に記載の無線端末。
【請求項１７】
電源を更に有し、
前記ベースバンドチップにより、前記ＰＡに、前記ＰＡが非動作状態であることを確認する前記第１のメッセージを送信するステップは、前記ベースバンドチップにより、前記電源に、前記ＰＡへの電力供給を停止することを通知するステップであって、したがって前記ＰＡは電源をオフにされる、ステップを有する、請求項９乃至１３のいずれか一項に記載の無線端末。
【発明の詳細な説明】
【技術分野】
【０００１】
本発明は、無線通信の分野に関し、特にデータ送信方法、装置及びシステムに関する。
【背景技術】
【０００２】
現在、無線端末がデータ送信を実行する処理では、無線端末と無線ネットワークとの間の通信リンクが確立された後に、つまり、専用チャネル（Dedicated  Channel：ＤＣＨ）状態では、この状態で、無線ネットワークは、データを送信及び受信するために用いる専用通信チャネルを無線端末装置のユーザに提供する。通信データの通常の交流を保証するために、ユーザがデータを無線ネットワーク側へ送信した後に、無線端末装置は、そのアップリンク（無線端末装置から無線ネットワーク側への方向）電力増幅器（以下では、略してＰＡと表す）を比較的長時間の間、オン状態に保つ。ＰＡは、無線端末から無線ネットワーク側へ送信されるデータの電力を増幅し得る。この時間期間の間、リンク品質を保証するために、端末装置は、間隔を置いてテストレポートデータを送信し、ＤＣＨリンクの使用がタイムアウトするまで、ＰＡをオフにする。このタイムアウト期間は、通常、ネットワークにより決定され、異なる規格、所要の多重化モード及び無線ネットワークの容量構成に従って通常は１０ｓ（秒）乃至６０ｓの間である。この時間期間では、従来の無線端末装置は、送信すべきデータが存在するか否かに拘わらず、自身のＰＡをオンに保つ。しかしながら、実際の使用の観点から、多くの場合、端末ユーザが装置を使うとき、受信ダウンリンクサービストラフィックは、受信アップリンクサービストラフィックよりも遙かに多いので、ＰＡを長時間オンに保つことは、間違いなく無線端末装置の電力の浪費である。
【発明の概要】
【発明が解決しようとする課題】
【０００３】
本発明の実施形態は、無線端末装置の電力消費を低減し得るデータ送信方法、装置及びシステムを提供する。
【課題を解決するための手段】
【０００４】
上述の目的に従って、本発明の実施形態による技術的解決策は、以下のように実施される。
【０００５】
開示のデータ送信法は、無線端末が無線ネットワーク側へ送信すべきデータを有するか否かを検出するステップであって、前記送信すべきデータはシグナリングデータ又はユーザデータを有する、ステップと、前記無線端末が前記無線ネットワーク側へ送信すべきデータを有するか否かを検出するステップの結果が、前記無線端末が送信すべきデータを有しないである場合、前記無線端末の電力増幅器（ＰＡ）が非動作状態であることを確認するステップと、前記無線端末が前記無線ネットワーク側へ送信すべきデータを有するか否かを検出するステップの結果が、前記無線端末が送信すべきデータを有するである場合、前記無線端末の前記ＰＡが動作状態であることを確認するステップと、を有する。
【０００６】
開示の無線端末は、ベースバンドチップと電力増幅器（ＰＡ）とを有する。ベースバンドチップは、無線端末が送信すべきデータを有するか否かを検出するよう構成される。送信すべきデータは、シグナリングデータ又はユーザデータを有する。検出結果が、ベースバンドチップは送信すべきデータを有しないである場合、ＰＡに、ＰＡが非動作状態であることを確認する第１のメッセージを送信する。検出結果が、ベースバンドチップは送信すべきデータを有するである場合、ＰＡに、ＰＡが動作状態であることを確認する第２のメッセージを送信する。ＰＡは、ベースバンドチップにより送信された第１のメッセージを受信し、第１のメッセージに従って、ＰＡは非動作状態であることを確認するよう構成され、又はベースバンドチップにより送信された第２のメッセージを受信し、第２のメッセージに従って、ＰＡは動作状態であることを確認するよう構成される。
【０００７】
開示のデータ送信装置は、無線端末が無線ネットワーク側へ送信すべきデータを有するか否かを検出するよう構成される第１のユニットであって、前記送信すべきデータはシグナリングデータ又はユーザデータを有する、第１のユニットと、前記無線端末が前記無線ネットワーク側へ送信すべきデータを有するか否かの検出の結果が、前記無線端末が送信すべきデータを有しないである場合、前記無線端末の電力増幅器（ＰＡ）が非動作状態であることを確認するよう構成される第２のユニットと、前記無線端末が前記無線ネットワーク側へ送信すべきデータを有するか否かの検出の結果が、前記無線端末が送信すべきデータを有するである場合、前記無線端末の前記ＰＡが動作状態であることを確認するよう構成される第３のユニットと、を有し、前記ＰＡは前記送信すべきデータを増幅し前記の増幅したデータを前記無線ネットワーク側へ送信する。
【０００８】
開示のデータ送信システムは、無線ネットワーク側装置と、前記無線ネットワーク側装置と通信接続する無線端末と、を有する。
【０００９】
開示のデータ送信システムは、無線ネットワーク側装置と、前記無線ネットワーク側装置と通信接続するデータ送信装置と、を有する。
【００１０】
開示のコンピュータ可読記憶媒体は、コンピュータプログラムコードを格納し、前記コンピュータプログラムコードがコンピュータにより実行されると、前記コンピュータプログラムコードは、データ送信方法のステップを実行させる。
【００１１】
開示のコンピュータプログラムは、コンピュータプログラムコードを格納し、前記コンピュータプログラムコードがコンピュータにより実行されると、前記コンピュータプログラムコードは、データ送信方法のステップを実行させる。
【００１２】
前述の解決策から、本発明の実施形態により提供されるデータ送信方法、装置及びシステムでは、無線端末が送信すべきデータを有しないと決定されると、無線端末のＰＡは非動作状態であることが確認され、その間ずっとＰＡは動作せず、それにより無線端末のＰＡの電気エネルギ消費を節約し、無線端末装置の電力消費を低減する。
【図面の簡単な説明】
【００１３】
【図１】本発明の実施形態１のデータ送信方法の簡略フローチャートである。
【図２】本発明の実施形態２のデータ送信方法の詳細フローチャートである。
【図３】本発明の一実施形態のデータ送信方法が採用されるとき及び従来技術が採用されるときのＰＡの効果比較図である。
【図４】本発明の実施形態３の無線端末の概略的構造図である。
【図５】本発明の実施形態４のデータ送信装置の概略的構造図である。
【図６】本発明の実施形態５のデータ送信システムの概略的構造図である。
【図７】本発明の実施形態６のデータ送信システムの概略的構造図である。
【発明を実施するための形態】
【００１４】
本発明の目的、技術的解決策、及び利点を一層理解するために、本発明の実施形態は、添付の図面を参照して以下に詳述される。
【００１５】
本発明の実施形態１は、データ送信方法を提供する。図１の簡略フローチャートに示すように、方法は以下のステップを有する。
【００１６】
ステップ１０１：無線端末が無線ネットワーク側へ送信すべきデータを有するか否かを決定する。該データは、シグナリングデータ及びユーザデータを有する。
【００１７】
ステップ１０２：無線端末が無線ネットワーク側へ送信すべきデータを有するか否かの決定の結果が、無線端末は無線ネットワーク側へ送信すべきデータを有しないである場合、無線端末のアップリンク電力増幅器（power  amplifier：PA）は非動作状態であることを確認する。
【００１８】
本願明細書に関連する「確認する」は「保証する」を表す。ＰＡが動作状態である場合、ＰＡは動作状態のままであり、ＰＡが動作状態ではない場合、ＰＡは動作状態にさせられる。
【００１９】
ステップ１０３：無線端末が無線ネットワーク側へ送信すべきデータを有するか否かの決定の結果が、無線端末は無線ネットワーク側へ送信すべきデータを有するである場合、無線端末のＰＡは動作状態であることを確認する。
【００２０】
ステップ１０２及び１０３は、逆の順序であっても良い。これは、本発明の実施形態の特定の実施に影響しない。
【００２１】
前述のデータ送信方法によると、ＰＡをオンにする又はオフにすることは、無線端末が送信すべきデータを有するか否かに従って制御され得る。ＰＡはデータ送信が終了するとき又は無線ネットワーク側へ送信すべきデータが存在しないときオフにされるので、無線端末のアップリンク電力消費は低減され、無線端末が無線ネットワーク側と相互作用する必要がないとき、無線端末はエネルギ及び電力の節約を実行する。
【００２２】
ステップ１０３の後、前述の方法は、以下のステップのうちの少なくとも１つを有しても良い。
【００２３】
ステップ１０４：動作状態のＰＡを通じて無線端末において送信すべきデータを増幅し、デ―タを無線ネットワーク側へ送信する。
【００２４】
ステップ１０５：送信すべきデータの送信が完了したか否かを検出する。
【００２５】
ステップ１０６：送信すべきデータの送信が完了した場合、無線端末のＰＡが非動作状態であることを確認する。ここで、非動作状態は、２つの動作状態、つまりスリープモード及びパワーオフモードを有しても良い。
【００２６】
無線端末が無線ネットワーク側へ送信すべきデータを有するか否かを検出するために、以下の３つの検出方法のうちの１つが採用されても良い。
【００２７】
第１の方法：無線端末のベースバンドチップは、無線端末の中にあり無線端末のベースバンドチップに接続される第１のメモリ内に少なくとも１つの無線フレームが存在するか否かを検出する。無線端末が無線ネットワーク側へ送信すべきデータを有するか否かを決定するステップの、無線端末は無線ネットワーク側へ送信すべきデータを有するという結果は、第１のメモリ内に無線フレームが存在しないことを含む。無線端末が無線ネットワーク側へ送信すべきデータを有するか否かを決定するステップの、無線端末は無線ネットワーク側へ送信すべきデータを有するという結果は、第１のメモリ内に少なくとも１つの無線フレームが存在することを含む。第１のメモリ内に無線フレームが存在しない場合、ベースバンドチップは、送信すべきデータが存在しないと見なす。第１のメモリ内に少なくとも１つの無線フレームが存在する場合、ベースバンドチップは、送信すべきデータが存在すると見なす。少なくとも１つの無線フレームは、無線端末のアプリケーションプロセッサＡＰからベースバンドチップにより受信された後に、第１のメモリに格納される。
【００２８】
第２の方法：無線端末のベースバンドチップによる、無線端末が無線ネットワーク側へ送信すべきデータを有するか否かを検出するステップは、無線端末のベースバンドチップのレイヤ１で送信されるべきデータが存在するか否かを検出するステップを有しても良い。無線端末のベースバンドチップのレイヤ１で送信されるべきデータが存在するか否かを検出するステップは、特に、ベースバンドチップのエンコーダ内に送信すべきデータが存在するか否かを検出するステップを有しても良い。ベースバンドチップのエンコーダ内に送信すべきデータが存在する（例えば、少なくとも１つの無線フレームのデータが存在する）場合、ベースバンドチップは、送信すべきデータが存在すると見なす。ベースバンドチップのエンコーダ内に送信すべきデータが存在しない場合、ベースバンドチップは、送信すべきデータが存在しないと見なす。
【００２９】
第３の方法：無線端末のベースバンドチップは、無線端末のベースバンドチップのレイヤ３で送信すべきデータが存在するか否かを検出する。具体的には、レイヤ３のＰＤＣＰ（Packet  Data  Convergence  Protocol）サブレイヤで送信すべきデータが存在するか否かが検出されても良い。無線端末が送信すべきデータを有しない場合、無線端末のＰＡが動作状態であることを確認する前に、方法は、レイヤ３により、無線端末の第２のメモリに送信すべきデータを格納しても良い。無線端末のＰＡが動作状態であることを確認した後に、且つ無線端末内の送信すべきデータが動作状態であるＰＡを通じて増幅され無線ネットワーク側へ送信された後に、方法は、無線端末のベースバンドチップのレイヤ１により、第２のメモリから送信すべきデータを読み出しても良い。第２のメモリは、ベースバンドチップ内に置かれても良く、無線端末内に置かれベースバンドチップに接続されても良い。レイヤ１は、予め設定された間隔で、第１のメモリから送信すべきデータを読み出しても良い。望ましくは、予め設定された間隔は１０ミリ秒であっても良い。
【００３０】
無線端末が無線ネットワーク側へ送信すべきデータを有するか否かを検出するステップは、無線端末のベースバンドチップによる、無線端末内にあり無線端末のベースバンドチップに接続される又はベースバンドチップ内にある第２のメモリ内にデータが存在するか否かを決定するステップも有し、ここで、無線端末が無線ネットワーク側へ送信すべきデータを有するか否かを検出するステップの、無線端末が送信すべきデータを有しないという結果は、第２のメモリ内にデータが存在しないことを有し、無線端末が無線ネットワーク側へ送信すべきデータを有するか否かを検出するステップの、無線端末が送信すべきデータを有するという結果は、第２のメモリ内にデータが存在することを有し、ここで、データは少なくとも１つの無線フレームの全部又は一部である。
【００３１】
３ＧＰＰの無線インタフェースのプロトコル階層を以下に簡単に説明する。３ＧＰＰの無線インタフェースのプロトコル階層は、ネットワークアプリケーション層、つまり最上位層を有する。レイヤ３は、Ｌ３として表され、サービスを制御及び管理するために、種々のメッセージ及びプログラムを有する。レイヤ２及びレイヤ１は、無線インタフェースのプロトコル階層内でレイヤ３の下に連続して位置する。レイヤ２は、データリンク層であり、Ｌ２と表され、中間層である。Ｌ２は、移動局と基地局との間でデータ送信を制御し信頼できる専用データリンクの確立を保証するために、種々のデータ送信構造を有する。レイヤ１は、物理層であり、Ｌ１と表され、最下位層であり、ビットストリーム送信に必要な無線リンクを提供する。Ｌ１、Ｌ２、Ｌ３は、無線端末において３つの独立した３ＧＰＰプロトコル層である。
【００３２】
ステップ１０３で、無線端末のＰＡが動作状態であることを確認した後に、方法は、無線端末のベースバンドチップのレイヤ１により、無線端末のＰＡが動作状態であることの確認に成功したというメッセージをレイヤ３に通知するステップを有しても良い。
【００３３】
無線端末のベースバンドチップのレイヤ１により、無線端末のＰＡが動作状態であることの確認に成功したというメッセージをレイヤ３に通知するステップは、無線端末のベースバンドチップのレイヤ１により、第１のフラグビットの状態がＰＡは動作状態であることに対応すると決定するステップを有しても良い。したがって、レイヤ３は、決定された第１のフラグビットを読み出し、第１のフラグビットは、無線端末のＰＡが動作状態であるか否かを表すために用いられる。第１のフラグビットは識別子（例えば、１ビットのブール変数であり、ここで、変数が設定されるとき、変数の値は１であり、ＰＡが動作状態であることを表し、変数が設定されないとき、変数の値は０であり、ＰＡをオンにするのに成功しなかったことを表す）であっても良く、Ｆ１と表されても良い。第１のフラグビットに対し、ステップ２０９で、第１のフラグビットの記述が参照されても良い。
【００３４】
ステップ１０６で、送信すべきデータの送信が完了した後に、方法は、無線端末のベースバンドチップのレイヤ１により、送信すべきデータの送信が完了したというメッセージをレイヤ３に通知するステップを有しても良い。レイヤ３は、送信すべきデータの送信が完了したというメッセージに従って、ＰＡをオフにする制御を実行しても良い。
【００３５】
無線端末のベースバンドチップのレイヤ１により、送信すべきデータの送信が完了したというメッセージをレイヤ３に通知するステップは、無線端末のベースバンドチップのレイヤ１により、第２のフラグビットの状態が送信すべきデータの送信が完了したことに対応すると決定するステップを有しても良い。したがって、レイヤ３は、決定された第２のフラグビットを読み出し、第２のフラグビットは、送信すべきデータの送信が完了したか否かを表すために用いられる。第２のフラグビットは識別子（例えば、１ビットのブール変数であり、ここで、変数が設定されるとき、変数の値は１であり、送信すべきデータの送信が完了したことを表し、変数が設定されないとき、変数の値は０であり、送信すべきデータの送信が完了しなかったことを表す）であっても良く、Ｆ２と表されても良い。第２のフラグビットに対し、実施形態２のステップ２１５で、第２のフラグビットの記述が参照されても良い。ここでは詳細を繰り返し記載しない。
【００３６】
レイヤ３により、決定された第１のフラグビットを読み出すステップは、レイヤ３により、予め設定された間隔で、決定された第１のフラグビットを読み出すステップを有しても良い。
【００３７】
レイヤ３により、決定された第２のフラグビットを読み出すステップは、レイヤ３により、予め設定された間隔で、決定された第２のフラグビットを読み出すステップを有しても良い。
【００３８】
予め設定された間隔は１０ミリ秒であっても良い。
【００３９】
ステップ１０２及びステップ１０６で、無線端末のＰＡが非動作状態であることを確認するステップは、無線端末のベースバンドチップにより、ＳＰＩ（serial  peripheral  interface）バスを通じて、第１のコマンドをＰＡのＳＰＩへ送信するステップを有しても良い。ここで、第１のコマンドは、スリープ状態になるようＰＡを制御する。ＰＡがスリープ状態であるとき、ＰＡが動作状態である状況と比較して、少量の電力しか消費されず、それにより、ＰＡが動作状態である状況と比べて大きな電力量を節約する。
【００４０】
ステップ１０２及びステップ１０６で、無線端末のＰＡが非動作状態であることを確認するステップは、無線端末のベースバンドチップにより、ｄｉｇＲＦ（digital  Radio  Frequency）バスを通じて、第２のコマンドをＰＡのｄｉｇＲＦインタフェースへ送信するステップを有しても良い。ここで、第２のコマンドは、スリープ状態になるようＰＡを制御する。
【００４１】
ステップ１０２及びステップ１０６で、無線端末のＰＡが非動作状態であることを確認するステップは、無線端末のベースバンドチップにより、第３のコマンドをＰＡの有効なインタフェース（enable  interface：EN）へ送信するステップを有しても良い。ここで、第３のコマンドは、スリープ状態になるようＰＡを制御する。
【００４２】
ステップ１０２及びステップ１０６で、無線端末のＰＡが非動作状態であることを確認するステップは、無線端末の電源により、ＰＡへの電力供給を停止するステップを有しても良い。したがって、ＰＡは電源を切られる。具体的には、直流−直流（ＤＣ／ＤＣ）コンバータは、電源とＰＡとの間に直列に接続されても良い。ＤＣ／ＤＣコンバータは、ベースバンドチップを通じて制御され、電源がＰＡに電力を供給するか否かを制御するようにする。電源がＰＡに電力を供給しないとき、ＰＡは電源を切れている。ベースバンドチップを通じてＤＣ／ＤＣコンバータを制御するステップは、既存の技術であり、ここで詳細に説明しない。
【００４３】
ステップ１０５で、送信すべきデータの送信が完了したか否かを検出するステップは、無線端末が送信すべきデータを有すると検出されてからの時間期間が２０ミリ秒を超えたか否かを検出するステップを有しても良い。送信すべきデータの送信が完了することは、無線端末が送信すべきデータを有すると検出されてからの時間期間が２０ミリ秒を超えることを有する。
【００４４】
本発明の実施形態２は、データ送信方法を提供する。図２の詳細フローチャートに示すように、方法は以下のステップを有する。
【００４５】
ステップ２０１：無線端末はＲＲＣ（radio  resource  control、無線リソース制御）−ＤＣＨ状態に入る。つまり、ＤＣＨコネクションが、無線端末とネットワーク側との間に確立される。
【００４６】
ステップ２０２：無線端末のベースバンドチップのレイヤ３の制御プレーンでアップリンクシグナリングデータを検出する。
【００４７】
ステップ２０３：無線端末のベースバンドチップのレイヤ３のユーザプレーンでアップユーザデータを検出する。
【００４８】
ステップ２０２及びステップ２０３の実行順序には厳格な制限はない。ステップ２０２及びステップ２０３のいずれかが最初に実行されても良く、ステップ２０２及びステップ２０３が同時に実行されても良い。ステップ２０２及びステップ２０３における検出方法では、本発明の実施形態１における無線端末が無線ネットワーク側へ送信すべきデータを有するか否かを検出するために３つの検出方法のうちの１つが参照されても良い。ここで詳細は繰り返し記載しない。
【００４９】
ステップ２０４：ステップ２０２でシグナリングを検出し、ステップ２０３でユーザデータを検出した後、ステップ２０２及びステップ２０３で得られたシグナリングデータ及び／又はユーザデータを編成するために、無線端末はある時間期間の間待つ。待ち時間は、望ましくは５ｍｓ（ミリ秒）であっても良い。
【００５０】
ステップ２０５：無線端末のＬ３は、Ｌ３が送信すべきアップリンクデータを有するか否かを検出する。アップリンクデータは、ステップ２０２及びステップ２０３で得られたシグナリングデータ及び／又はユーザデータを有しても良い。検出結果がアップリンクデータが存在しないとき、無線端末はステップ２０４に戻り、待ち続ける。検出結果がアップリンクデータが存在するとき、ステップ２０６へ進む。
【００５１】
ステップ２０６：アップリンクデータが検出されるとき、無線端末のＬ３は、無線端末の第２のメモリにアップリンクデータを一時的に格納する。望ましくは、第２のメモリは、ベースバンドチップのＬ３に位置しても良い。正確には、Ｌ３のいずれか１つにおけるＬ１へのデータアクセスに都合が良い限り、メモリは無線端末のＬ２又はＬ１に位置しても良い。任意で、第２のメモリは、無線端末内に位置し、ベースバンドチップに接続されても良い。第２のメモリのサイズは、第２のメモリがアップリンクデータの一部をバッファリングできる限り、許容可能である。例えば、第２のメモリのサイズは、１ＫＢ（バイト）に設定されても良い。アップリンクデータが格納されるとき、開始アドレス及びアップリンクデータバッファの長さは、第２のメモリに記録されても良い。異なる無線端末は異なる処理能力を有するので、アップリンクデータは、生成される間、リアルタイムで無線ネットワーク側へ送信されても良い。したがって、第２のメモリの設定は任意である。このステップも任意である。
【００５２】
ステップ２０７：Ｌ３のアップリンクデータの全部又は一部が第２のメモリに格納された後、Ｌ３は、Ｌ３が無線ネットワーク側へ送信すべきデータを有することをＬ１に積極的に通知しても良い。Ｌ１は、Ｌ３が無線ネットワーク側へ送信すべきデータを有することを積極的に学習しても良い。次に、ベースバンドチップは、ＰＡをオンにできるようになる。
【００５３】
Ｌ１により、Ｌ３が無線ネットワーク側へ送信すべきデータを有することを学習するステップは、予め設定された間隔で第２のメモリを調べるステップを有しても良い。ここで、第２のメモリ内にデータが存在する場合、データは送信すべきアップリンクデータである。
【００５４】
ステップ２０８：Ｌ１は、ある時間期間待ち、ＰＡのオンを完了したことを確認する。現在の無線周波数ＰＡは、５ｍｓ（ミリ秒）以内に確実にオンにされても良い。したがって、５ｍｓの遅延を有しタイマが設定されても良く、タイマが終了すると、ＰＡのオンが完了したと決定される。
【００５５】
ステップ２０９：Ｌ１は、ＰＡのオンが終了したか否かを決定する。ＰＡのオンが終了したか否かは、ＰＡの入力／出力ポート（Ｉ／Ｏポート）を検出することにより決定されても良い。例えば、ＰＡのＩ／Ｏポートが高レベルにあるとき、ＰＡのオンが終了したことに相当すると予め設定されても良く、ＰＡのＩ／Ｏポートが低レベルにあるとき、ＰＡのオンが終了しなかったことに相当すると予め設定されても良い。例えば、ＰＡのＩ／Ｏポートが低レベルにあるとき、ＰＡのオンが終了したことに相当すると予め設定されても良く、ＰＡのＩ／Ｏポートが高レベルにあるとき、ＰＡのオンが終了しなかったことに相当すると予め設定されても良い。高レベルは、１．５Vより高い論理電圧を表してもよく、低レベルは、０．３Vより低い論理電圧を表しても良い。決定結果は、無線端末で（例えば、無線端末の特に第１のメモリまたは第２のメモリであり得るメモリ内で）識別子を設定することにより具現化されても良い（例えば、１ビットブール変数であって、変数が設定されているとき変数の値が１であり、変数が設定されていないとき変数の値が０である）。ここで、識別子は、第１のフラグビットF１として記される。識別子F１は、L３、L２及びL１のうちのいずれか１つによりアクセスできる。F１は、PAの準備ができていない状況で、L３からL１へ送信されるデータストリームが後続の処理に不正に入ることを防ぐために設定され、それにより本実施形態の方法の実行の正確さを保証する。本実施形態では、F１が設定されているとき、L１に位置するPAが動作状態であることを表し、F１が設定されていないとき、L１に位置するPAのオンに成功しなかったことを表す。具体的には、F１は、L１乃至L３のうちのいずれか１つによりアクセスできる。L１がPAのオンを終了した後に、L１はF１を設定する。L１がF１を設定した後に、L３はF１の値を読み取るので、PAのオンが完了したことが分かり、アップリンクデータ送信が実行できる。レイヤ３により、決定された第１のフラグビットを読み出すステップは、レイヤ３により、予め設定された間隔で、決定された第１のフラグビットを読み出すステップを有しても良い。予め設定された間隔は１０ミリ秒であっても良い。明らかに、無線端末が強力なリアルタイム処理能力を有し、送信すべきデータが存在するときにPAをリアルタイムにオンにできるとき、このステップは不要である。PAのオンが終了した場合、処理はステップ２１０に進む。PAの処理が終了しなかった場合、ステップ２０８に戻り、L１は待ち続ける。
【００５６】
ステップ２１０：PAのオンが終了した後に、L３は、第２のメモリからアップロードすべきデータを取得し、該データの送信の準備をする。ステップ２０６で説明したように、デ―タはL３からL１へリアルタイムに配信され送信されるのを待つので、第２のメモリの設定は任意であり、このステップでの第２のメモリからのデータの取得は任意である。
【００５７】
ステップ２１１：アップロードすべきデータを取得した後に、L３は該データをパッキングのためにL２に渡す。つまり、L２は、無線ネットワーク側へデータを送信するために、アップロードすべきデータを無線チャネルでの送信に適したフォーマットにカプセル化する。
【００５８】
ステップ２１２：L２がアップロードすべきデータをL１へ送信した後に、L１は無線ネットワーク側へアップロードすべきデータを送信する。
【００５９】
ステップ２１３：無線端末はL１がアップロードすべきデータを送信するのを待つ。
【００６０】
ステップ２１４：L１は全てのアップロードすべきデータの送信が完了したか否かを決定する。送信が完了していない場合、ステップ２１３に戻り、無線端末はデータの送信が完了するのを待ち続ける。送信が完了した場合、処理はステップ２１５に進む。全てのアップロードすべきデータの送信が完了したか否かを決定するステップは、無線端末が送信すべきデータを有すると検出されてからの時間期間が２０ミリ秒を超えたか否かを検出するステップを有しても良い。送信すべきデータの送信が完了することは、無線端末が送信すべきデータを有すると検出されてからの時間期間が２０ミリ秒を超えることを有する。２０ミリ秒の期間は、遅延の決定を通じて得られる。無線フレームは１０ミリ秒の長さなので、ベースバンドチップにより無線端末が送信すべきデータを有すると検出されたときから開始し無線フレームの送信が終了したときに終了する期間は、冗長分の２倍と設定されても良い。１無線フレームの送信は２０ミリ秒後に完了すると考えられる。
【００６１】
ステップ２１５：データの送信が完了した後に、L１は、L３に、データの送信が完了したことを通知する。通知は、具体的には、無線端末で（例えば、無線端末の特に第１のメモリまたは第２のメモリであり得るメモリ内で）識別子を設定することにより具現化されても良い（例えば、１ビットブール変数であって、変数が設定されているとき変数の値が１であり、変数が設定されていないとき変数の値が０である）。ここで、識別子は、第１のフラグビットF２として記される。識別子F２は、L３、L２及びL１のうちのいずれか１つによりアクセスできる。本実施形態では、F２は、F２が設定されているときL１により送信すべきデータの送信が完了したとこを表し、F２が設定されていないときL１により送信すべきデータの送信が完了していないことを表すと設定されても良い。具体的には、F２は、L１乃至L３のうちのいずれか１つによりアクセスできる。L１がPAのオンを終了した後に、L１はF２を設定する。L１がF２を設定した後に、L３はF２の値を読み取るので、アップリンクデータの送信が完了したことが分かる。ベースバンドチップのL３が、アップリンクデータの送信が完了したことを知ると、L３はPAをオフにする制御を実行する。
【００６２】
本発明の実施形態における方法では、本発明の実施形態のうちの実施形態１の方法に基づき、待ち時間の設定方法は、データ送信の完了及びPAのオンの完了を保証するよう適応される。ＰＡはデータ送信が終了するとき又は無線ネットワーク側へ送信すべきデータが存在しないときオフにされるので、無線端末のアップリンク電力消費は低減され、無線端末が無線ネットワーク側と相互作用する必要がないとき、無線端末はエネルギ及び電力の節約を実行する。
【００６３】
本発明の実施形態の方法を適応することによる電力消費の低減を実施することの特定の効果を、特定の例を通じて以下に紹介する。図３に示すように、ユーザが無線端末で無線ネットワークを通じてウェブページを開く例を上げる。図３のリンク状態から分かるように（図３で第１の行に示すように）、無線端末のプロトコルスタックは、無線ネットワーク側の基地局とDCHリンクを確立するために、（図３の第１の行の第１の点模様の四角形により示すように）要求シグナリングを送信する。データ要求により、（図３の第２の行の斜線の四角形により示すように）ユーザデータが先ず無線ネットワークへ送信され、続いて測定レポート（図３の第２の行の点模様の四角形により示されるような一種のシグナリングデータ）が特定の間隔で無線ネットワークへ送信される。無線ネットワークは、ユーザが長時間（時間はネットワーク側により決定され、通常１０ｓ乃至６０ｓ（秒）である）データを送信していないことが発見すると、無線ネットワークは、（図３の第１の行の第２の点模様の四角形により示すように）能動的にリンクを切断する。従来技術の元来の解決策から、DCHリンクの確立から切断までのプロセス全体で、PAがずっとオン状態であることが分かる。つまり、PAは、ユーザデータまたはシグナリングデータが存在しないと決定された場合でもオンである。本発明の実施形態におけるデータ送信方法が適用された後には、電力増幅器は、実際のデータ送信要求に従ってオンにされ、PAはアップリンクデータの送信が完了した後に直ちにオフにされ、不要な電力の浪費を回避できる。図３の第２の行のデータ要求では、ユーザデータ及びシグナリングデータは、第４の行のPAオフ状態に対応し、PAのオフ及びオンは依然として僅かな遅延を必要とする。この遅延は、安全な遅延であり、PAのオフ及びオンの完了を保証する。望ましくは、無線周波数PAは５ｍｓ（ミリ秒）以内に確実にオンにされるよう設定されても良い。具体的には、５ｍｓの遅延を有するタイマが設定されても良く、タイマが終了すると、ＰＡのオン又はオフが完了したと決定されても良い。
【００６４】
本発明の実施形態３は、無線端末を提供する。図４に示すように、無線端末は以下の構成要素を有する。
【００６５】
ベースバンドチップ４０１。ベースバンドチップが送信すべきデータを有するか否かを検出するよう構成される。送信すべきデータは、シグナリングデータ又はユーザデータを有する。検出結果が、ベースバンドチップは送信すべきデータを有しないである場合、ＰＡに、ＰＡが非動作状態であることを確認する第１のメッセージを送信する。検出結果が、ベースバンドチップは送信すべきデータを有するである場合、ＰＡに、ＰＡが動作状態であることを確認する第２のメッセージを送信する。
【００６６】
ＰＡ４０２。ベースバンドチップにより送信された第１のメッセージを受信し、第１のメッセージに従って、ＰＡは非動作状態であることを確認するよう構成され、又はベースバンドチップにより送信された第２のメッセージを受信し、第２のメッセージに従って、ＰＡは動作状態であることを確認するよう構成される。
【００６７】
本実施形態の無線端末では、ＰＡのオン又はオフは、送信すべきデータが存在するか否かに従って制御されても良い。ＰＡはデータが送信されるときにのみオンにされるので、無線端末のアップリンク電力消費は低減され、無線端末が無線ネットワーク側と相互作用する必要のないとき、無線端末はエネルギ及び電力の節約を実施する。
【００６８】
本実施形態の無線端末は、通信機４０５を有しても良い。通信機４０５は、送信すべきデータをベースバンドチップから受信し、該送信すべきデータを変調し、ＰＡへ変調した第１のデータを送信するよう構成される。
【００６９】
ＰＡ４０２は、変調された第１のデータを増幅するよう構成される。
【００７０】
本実施形態の無線端末は以下を更に有しても良い。
【００７１】
アンテナ４０３。ＰＡにより増幅された第２のデータを無線ネットワーク側へ送信するよう構成される。
【００７２】
ベースバンドチップ４０１は、送信すべきデータの送信が完了したか否かを検出し、送信すべきデータの送信が完了した場合、ＰＡに、ＰＡが非動作状態であることを確認する第１のメッセージを送信するよう更に構成されても良い。
【００７３】
本実施形態の無線端末はアプリケーションプロセッサＡＰ４０６を更に有しても良い。アプリケーションプロセッサＡＰ４０６は、送信すべきデータを生成し、送信すべきデータをベースバンドチップに送信するよう構成される。
【００７４】
本実施形態のベースバンドチップは、送信すべきデータをＡＰから受信し、送信すべきデータの少なくとも１つの無線フレームを第１のメモリ４０４に格納し、送信すべきデータが第１のメモリに存在しない場合、対応する検出結果は、ベースバンドチップは送信すべきデータを有しないであり、送信すべきデータの少なくとも１つの無線フレームが第１のメモリに存在する場合、対応する検出結果は、ベースバンドチップは送信すべきデータを有するである。本実施形態の無線端末は、ベースバンドチップに接続される第１のメモリ４０４を有しても良い。第１のメモリ４０４は、送信すべきデータの少なくとも１つの無線フレームを格納するよう構成される。
【００７５】
さらに、無線端末は、第２のメモリ４０７を有しても良い。第２のメモリ４０７は、（図４に示すように）ベースバンドチップ４０１に接続されるか、又はベースバンドチップ内に置かれる（図示しない）。第２のメモリ４０７は、データを格納するよう構成される。第２のメモリの特定の用途では、実施形態１の第２のメモリの概論を参照する。
【００７６】
第１のメモリが少なくとも１つの無線フレームを有するとき、ベースバンドチップ４０１は、第２のメモリ４０７に、第１のメモリ内の少なくとも１つの無線フレームの全部又は一部を格納し、第２のメモリにデータが存在しない場合、対応する検出結果は、ベースバンドチップは送信すべきデータを有しないであり、第２のメモリにデータが存在する場合、対応する検出結果は、ベースバンドチップは送信すべきデータを有するである。ここで、データは、少なくとも１つの無線フレームの全部又は一部である。
【００７７】
また、ベースバンドチップ４０１は、送信すべきデータを第２のメモリ４０７に格納し、送信すべきデータを第２のメモリ４０７から読み出すよう構成される。
【００７８】
ベースバンドチップ４０１は、特に、予め設定された間隔で、送信すべきデータを第２のメモリ４０７から読み出すよう構成される。望ましくは、予め設定された間隔は１０ミリ秒であっても良い。
【００７９】
ベースバンドチップ４０１による、無線端末が送信すべきデータを有するか否かの検出は、特に、ベースバンドチップにより、送信すべきデータがベースバンドチップのエンコーダ内に存在するか否かを検出するステップを有しても良い。ここで、送信すべきデータは、ＡＰによりベースバンドチップへ送信される。
【００８０】
ベースバンドチップによるＰＡへの、ＰＡが非動作状態であることを確認する第１のメッセージの送信は、特に、ベースバンドチップにより、ＳＰＩ（serial  peripheral  interface）バスを通じて、ＰＡのＳＰＩへ第１のコマンドを送信するステップを有しても良い。ここで、第１のコマンドは、スリープ状態になるようＰＡを制御する。
【００８１】
ベースバンドチップによるＰＡへの、ＰＡが非動作状態であることを確認する第１のメッセージの送信は、特に、ベースバンドチップにより、ｄｉｇＲＦ（digital  radio  frequency）バスを通じて、ＰＡのｄｉｇＲＦインタフェースへ第２のコマンドを送信するステップも有しても良い。ここで、第２のコマンドは、スリープ状態になるようＰＡを制御する。
【００８２】
ベースバンドチップによるＰＡへの、ＰＡが非動作状態であることを確認する第１のメッセージの送信は、特に、ベースバンドチップにより、ＰＡのＥＮ（enable  interface）へ第３のコマンドを送信するステップを有しても良い。ここで、第３のコマンドは、スリープ状態になるようＰＡを制御する。
【００８３】
ベースバンドチップによるＰＡへの、ＰＡが非動作状態であることを確認する第１のメッセージの送信は、特に、ベースバンドチップにより、電源に、ＰＡへの電力供給を停止することを通知するステップを有しても良い。これにより、ＰＡは電源をオフにされる。
【００８４】
本発明の実施形態の無線端末では、第１のメモリは少なくとも１つの無線フレームを格納すると決定されると、ＰＡはオンにされ、送信すべきデータの送信が終了した後、ＰＡはオフにされる。また、ベースバンドチップ内で送信される送信されるべきデータは、第２のメモリを通じてバッファリングされ、それにより、アップリンクデータ送信の完全性及びアップリンク送信の効率が保証される。
【００８５】
本発明の実施形態４は、データ送信装置を提供する。図５に示すように、データ送信装置は、以下を有する。
【００８６】
第１のユニット５０１。無線端末が無線ネットワーク側へ送信すべきデータを有するか否かを検出するよう構成される。該データは、シグナリングデータ及びユーザデータを有する。
【００８７】
第２のユニット５０２。無線端末が無線ネットワーク側へ送信すべきデータを有するか否かの検出の結果が、無線端末は無線ネットワーク側へ送信すべきデータを有しないである場合、無線端末のＰＡは非動作状態であることを確認するよう構成される。
【００８８】
第３のユニット５０３。無線端末は無線ネットワーク側へ送信すべきデータを有するか否かの検出の結果が、無線端末は送信すべきデータを有するである場合、無線端末のＰＡは動作状態であることを確認するよう構成され、したがって、ＰＥは送信すべきデータを増幅し、増幅した送信すべきデータを無線ネットワーク側へ送信する。
【００８９】
本実施形態のデータ送信装置は以下を更に有しても良い。
【００９０】
第４のユニット５０４。送信すべきデータの送信が完了したか否かを検出するよう構成される。
【００９１】
第５のユニット５０５。送信すべきデータの送信が完了すると、無線端末のＰＡが非動作状態であることを確認するよう構成される。
【００９２】
第１のユニットは、特に、無線端末のベースバンドチップのレイヤ３に送信すべきデータが存在するか否かを検出するよう構成されても良い。
【００９３】
さらに、第１のユニットは、特に、レイヤ３のＰＤＣＰ（packet  data  convergence  protocol）サブレイヤに送信すべきデータが存在するか否かを検出するよう構成されても良い。
【００９４】
あるいは、第１のユニットは、特に、無線端末のベースバンドチップのレイヤ１に送信すべきデータが存在するか否かを検出するよう構成されても良い。
【００９５】
さらに、第１のユニットは、特に、ベ―スバンドチップのエンコーダ内に送信すべきデータが存在するか否かを検出するよう構成されても良い。
【００９６】
あるいは、第１のユニットは、特に、無線端末内にあり無線端末のベースバンドチップに接続される第１のメモリ内に少なくとも１つの無線フレームが存在するか否かを検出するよう構成されても良い。ここで、少なくとも１つの無線フレームが存在する場合、無線端末は送信すべきデータを有し、無線フレームが存在しない場合、無線端末は送信すべきデータを有しない。少なくとも１つの無線フレームは、無線端末のアプリケーションプロセッサＡＰからベースバンドチップにより受信された後に、第１のメモリに格納される。
【００９７】
第１のユニットは、特に、無線端末内にあり無線端末のベースバンドチップに接続される又はベースバンドチップ内に置かれる第２のメモリ内にデータが存在するか否かを検出するよう構成される。ここで、データが存在する場合、無線端末は送信すべきデータを有し、データが存在しない場合、無線端末は送信すべきデータを有しない。データは、少なくとも１つの無線フレームの全部又は一部である。
【００９８】
第３のユニットは、第７のユニット５０７を有しても良い。第７のユニット５０７は、無線端末のＰＡが動作状態にあることの確認に成功したというメッセージをレイヤ４に通知するよう構成される。
【００９９】
第７のユニットは、特に、第１のフラグビットの状態がＰＡは動作状態であることに対応すると決定するよう構成される。したがって、レイヤ３は、決定された第１のフラグビットを読み出す。ここで、第１のフラグビットは、無線端末のＰＡが動作状態であるか否かを表すために用いられる。
【０１００】
第５のユニットは、特に、送信すべきデータの送信が完了したというメッセージをレイヤ３に通知するよう構成されても良い。したがって、レイヤ３は、無線端末のＰＡが非動作状態であることを確認する。
【０１０１】
第５のユニットは、特に、第２のフラグビットの状態が送信すべきデータの送信が完了したことに対応すると決定するよう構成されても良い。したがって、レイヤ３は、決定された第２のフラグビットを読み出す。ここで、第２のフラグビットは、送信すべきデータの送信が完了したか否かを表すために用いられる。
【０１０２】
第２のユニット及び第５のユニットは、特に、ＳＰＩ（serial  peripheral  interface）バスを通じて、ＰＡのＳＰＩへ第１のコマンドを送信するよう構成されても良い。ここで、第１のコマンドは、スリープ状態になるようＰＡを制御する。
【０１０３】
或いは、第２のユニット及び第５のユニットは、特に、ｄｉｇＲＦ（digital  radio  frequency）バスを通じて、ＰＡのｄｉｇＲＦへ第２のコマンドを送信するよう構成されても良い。ここで、第２のコマンドは、スリープ状態になるようＰＡを制御する。
【０１０４】
或いは、第２のユニット及び第５のユニットは、特に、ＰＡのＥＮ（enable  end）へ第３のコマンドを送信するよう構成されても良い。ここで、第３のコマンドは、スリープ状態になるようＰＡを制御する。
【０１０５】
或いは、第２のユニット及び第５のユニットは、特に、ＰＡへの電力供給を停止するよう構成されても良い。したがって、ＰＡは電源をオフにされる。
【０１０６】
第４のユニットは、特に、無線端末が送信すべきデータを有すると検出されてからの時間期間が２０ミリ秒を超えたか否かを検出するよう構成されても良い。無線端末が送信すべきデータを有すると検出されてからの時間期間が２０ミリ秒を超えた場合、送信すべきデータの送信は完了する。
【０１０７】
本発明の実施形態のデータ送信装置では、第１のメモリは少なくとも１つの無線フレームを格納すると決定されると、ＰＡはオンにされ、送信すべきデータの送信が終了した後、ＰＡはオフにされる。また、ベースバンドチップ内で送信される送信されるべきデータは、第２のメモリを通じてバッファリングされ、それにより、アップリンクデータ送信の完全性及びアップリンク送信の効率が保証される。
【０１０８】
本発明の実施形態５は、データ送信システムを提供する。図６に示すように、データ送信システムは、前述の実施形態の無線端末６０２及び無線ネットワーク側装置６０１を有する。無線端末６０２及び無線ネットワーク側装置６０１は、通信接続中である。無線ネットワーク側装置６０１は、特に、無線ネットワーク側に置かれる基地局装置であっても良い。したがって、無線端末の特定の実施方法では、実施形態３で説明した無線端末の実施方法が参照され、ここでは詳細は繰り返さない。
【０１０９】
本発明の実施形態６は、データ送信システムを提供する。図７に示すように、データ送信システムは、前述の実施形態の無線送信装置７０２及び無線ネットワーク側装置７０１を有する。データ送信装置７０２及び無線ネットワーク側装置７０１は、通信接続中である。無線ネットワーク側装置７０１は、特に、無線ネットワーク側に置かれる基地局装置であっても良い。したがって、データ送信装置の特定の実施方法では、実施形態４で説明したデータ送信装置の実施方法が参照され、ここでは詳細は繰り返さない。
【０１１０】
本発明の実施形態７は、データ送信方法を提供する。本実施形態と本発明の実施形態１との相違は、ステップ１０１が、無線ネットワーク側との接続が確立される前に、無線端末が無線ネットワーク側へ送信すべきデータを有するか否かを検出している点である。ここで、送信すべきデータは、無線端末と無線ネットワーク側との間の接続を確立するためのシグナリングデータを有する。
【０１１１】
特に、無線端末と無線ネットワーク側との間の接続を確立するためのシグナリングデータは、専用チャネルＤＣＨリンク接続を確立するために、無線端末により生成された無線ネットワーク側への要求データであっても良い。要求データは、ＲＡＣＨ（random  access  channel）を通じて、無線ネットワーク側へ送信される。
【０１１２】
明らかに、実施形態７のデータ送信方法を実施形態２と比較すると、相違点は、無線ネットワーク側との接続が確立される前に、無線ネットワーク側へ送信すべきデータが送信される点である。これは、無線端末がＲＲＣ−ＤＣＨ状態に入った後に、無線ネットワーク側へ送信すべきデータが送信されるという実施形態２の状況と異なる。
【０１１３】
本発明の実施形態のデータ送信方法では、無線ネットワーク側との接続が確立する前に、つまり図３の第１の行のリンク確立要求に対応する専用チャネルＤＣＨリンク接続を確立するための要求データの前に、無線ネットワーク側へ送信すべきデータが存在するか否かに注目する。リンク確立要求が存在する場合、無線端末のベースバンドチップは、ＰＡをオンにする制御を実行する。リンク確立要求の送信が終了した後に、ベースバンドチップは、ＰＡをオフにする制御を実行する。それにより、ＰＡ及び無線端末の電力消費を効率的に削減する。
【０１１４】
本発明の実施形態８は、無線端末を提供する。本発明の実施形態３と比較すると、ベースバンドチップ４０１が、無線ネットワーク側との接続が確立される前に、ベースバンドチップが無線ネットワーク側へ送信すべきデータを有するか否かを検出し、送信すべきデータは無線端末と無線ネットワーク側との間の接続を確立するためのシグナリングデータを有し、検出結果が、ベースバンドチップは送信すべきデータを有しないである場合、ＰＡに、ＰＡは非動作状態であることを確認する第１のメッセージを送信し、検出結果が、ベースバンドチップは送信すべきデータを有するである場合、ＰＡに、ＰＡは動作状態であることを確認する第２のメッセージを送信するよう構成される点が異なる。
【０１１５】
特に、無線端末と無線ネットワーク側との間の接続を確立するためのシグナリングデータは、専用チャネルＤＣＨリンク接続を確立するために、無線端末により生成された無線ネットワーク側への要求データであっても良い。要求データは、ＲＡＣＨ（random  access  channel）を通じて、無線ネットワーク側へ送信される。
【０１１６】
本発明の実施形態の無線端末では、無線端末が無線ネットワーク側との接続を確立する前に、つまり図３の第１の行のリンク確立要求に対応する専用チャネルＤＣＨリンク接続を確立するための要求データの前に、無線ネットワーク側へ送信すべきデータが存在するか否かに注目する。リンク確立要求が存在する場合、無線端末のベースバンドチップは、ＰＡをオンにする制御を実行する。リンク確立要求の送信が終了した後に、ベースバンドチップは、ＰＡをオフにする制御を実行する。それにより、ＰＡ及び無線端末の電力消費を効率的に削減する。
【０１１７】
本発明の実施形態９は、データ送信装置を提供する。本発明の実施形態４と比較すると、相違点は、第１のユニットが、無線ネットワーク側との接続が確立される前に、無線端末が無線ネットワーク側へ送信すべきデータを有するか否かを検出している点である。ここで、送信すべきデータは、無線端末と無線ネットワーク側との間の接続を確立するためのシグナリングデータを有する。
【０１１８】
特に、無線端末と無線ネットワーク側との間の接続を確立するためのシグナリングデータは、専用チャネルＤＣＨリンク接続を確立するために、無線端末により生成された無線ネットワーク側への要求データであっても良い。要求データは、ＲＡＣＨ（random  access  channel）を通じて、無線ネットワーク側へ送信される。
【０１１９】
本発明の実施形態のデータ送信装置では、無線端末が無線ネットワーク側との接続を確立する前に、つまり図３の第１の行のリンク確立要求に対応する専用チャネルＤＣＨリンク接続を確立するための要求データの前に、無線ネットワーク側へ送信すべきデータが存在するか否かに注目する。リンク確立要求が存在する場合、無線端末のベースバンドチップは、ＰＡをオンにする制御を実行する。リンク確立要求の送信が終了した後に、ベースバンドチップは、ＰＡをオフにする制御を実行する。それにより、ＰＡ及び無線端末の電力消費を効率的に削減する。
【０１２０】
本発明の実施形態１０は、データ送信システムを提供する。ここで、データ送信システムは、無線端末及び無線ネットワーク側装置を有する。無線端末及び無線ネットワーク側装置は、通信接続中である。無線ネットワーク側装置は、特に、無線ネットワーク側に置かれる基地局装置であっても良い。したがって、無線端末の特定の実施方法では、実施形態８で説明した無線端末の実施方法が参照され、ここでは詳細は繰り返さない。
【０１２１】
本発明の実施形態１１は、データ送信システムを提供する。ここで、データ送信システムは、データ送信装置及び無線ネットワーク側装置を有する。データ送信装置及び無線ネットワーク側装置は、通信接続中である。無線ネットワーク側装置は、特に、無線ネットワーク側に置かれる基地局装置であっても良い。したがって、データ送信装置の特定の実施方法では、実施形態９で説明したデータ送信装置の実施方法が参照され、ここでは詳細は繰り返さない。
【０１２２】
本発明の実施形態１２は、データ送信方法を提供する。本実施形態と本発明の実施形態１との間の相違点は、ステップ１０１が、無線端末と無線ネットワーク側との間の接続が確立された後に、無線端末が無線ネットワーク側へ送信すべきデータを有するか否かを検出している点である。ここで、送信すべきデータは、シグナリングデータ又はユーザデータを有する。
【０１２３】
特に、無線端末と無線ネットワーク側との間の接続は、専用チャネルＤＣＨリンク接続である。送信すべきデータの中のシグナリングデータは専用制御チャネルＤＣＣＨを通じて無線ネットワーク側へ送信され、送信すべきデータの中のユーザデータは専用トラフィックチャネルＤＴＣＨを通じて無線ネットワーク側へ送信される。
【０１２４】
明らかに、実施形態１２のデータ送信方法を実施形態２と比較すると、相違点は、無線ネットワーク側との接続が確立された後に、無線ネットワーク側へ送信すべきデータが送信される点である。つまり、無線端末がＲＲＣ−ＤＣＨ状態に入った後に、無線ネットワーク側へ送信すべきデータが送信される。
【０１２５】
本発明の実施形態におけるデータ送信方法では、無線ネットワーク側との接続が確立された後に、無線ネットワーク側へ送信すべきデータが存在するか否かに注目する。データは、図３の第２の行の点模様の四角形のシグナリングデータに対応する専用制御チャネルＤＣＣＨを通じて無線ネットワーク側へ送信されるシグナリングデータ、及び図３の第２の行の斜線の四角形のユーザデータに対応する専用トラフィックチャネルＤＴＣＨを通じて無線ネットワーク側へ送信されるユーザデータを有する。シグナリングデータ及び／又はユーザデータが存在する場合、無線端末のベースバンドチップは、ＰＡをオンにする制御を実行する。リンク確立要求の送信が終了した後に、ベースバンドチップは、ＰＡをオフにする制御を実行する。それにより、ＰＡ及び無線端末の電力消費を効率的に削減する。
【０１２６】
本発明の実施形態１３は、無線端末を提供する。本発明の実施形態３と比較すると、ベースバンドチップ４０１が、無線端末と無線ネットワーク側との間の接続が確立された後に、ベースバンドチップが無線ネットワーク側へ送信すべきデータを有するか否かを検出し、送信すべきデータはシグナリングデータ又はユーザデータを有し、検出結果が、ベースバンドチップは送信すべきデータを有しないである場合、ＰＡに、ＰＡは非動作状態であることを確認する第１のメッセージを送信し、検出結果が、ベースバンドチップは送信すべきデータを有するである場合、ＰＡに、ＰＡは動作状態であることを確認する第２のメッセージを送信するよう構成される点が異なる。
【０１２７】
特に、無線端末と無線ネットワーク側との間の接続は、専用チャネルＤＣＨリンク接続である。送信すべきデータの中のシグナリングデータは専用制御チャネルＤＣＣＨを通じて無線ネットワーク側へ送信され、送信すべきデータの中のユーザデータは専用トラフィックチャネルＤＴＣＨを通じて無線ネットワーク側へ送信される。
【０１２８】
本発明の実施形態における無線端末では、無線ネットワーク側との接続が確立された後に、無線ネットワーク側へ送信すべきデータが存在するか否かに注目する。データは、図３の第２の行の点模様の四角形のシグナリングデータに対応する専用制御チャネルＤＣＣＨを通じて無線ネットワーク側へ送信されるシグナリングデータ、及び図３の第２の行の斜線の四角形のユーザデータに対応する専用トラフィックチャネルＤＴＣＨを通じて無線ネットワーク側へ送信されるユーザデータを有する。シグナリングデータ及び／又はユーザデータが存在する場合、無線端末のベースバンドチップは、ＰＡをオンにする制御を実行する。リンク確立要求の送信が終了した後に、ベースバンドチップは、ＰＡをオフにする制御を実行する。それにより、ＰＡ及び無線端末の電力消費を効率的に削減する。
【０１２９】
本発明の実施形態１４は、データ送信装置を提供する。本発明の実施形態４と比較すると、相違点は、第１のユニットが、無線端末と無線ネットワーク側との間の接続が確立された後に、無線端末が無線ネットワーク側へ送信すべきデータを有するか否かを検出している点である。ここで、データは、シグナリングデータ又はユーザデータを有する。
【０１３０】
特に、無線端末と無線ネットワーク側との間の接続は、専用チャネルＤＣＨリンク接続である。送信すべきデータの中のシグナリングデータは専用制御チャネルＤＣＣＨを通じて無線ネットワーク側へ送信され、送信すべきデータの中のユーザデータは専用トラフィックチャネルＤＴＣＨを通じて無線ネットワーク側へ送信される。
【０１３１】
本発明の実施形態におけるデータ送信装置では、無線ネットワーク側との接続が確立された後に、無線ネットワーク側へ送信すべきデータが存在するか否かに注目する。データは、図３の第２の行の点模様の四角形のシグナリングデータに対応する専用制御チャネルＤＣＣＨを通じて無線ネットワーク側へ送信されるシグナリングデータ、及び図３の第２の行の斜線の四角形のユーザデータに対応する専用トラフィックチャネルＤＴＣＨを通じて無線ネットワーク側へ送信されるユーザデータを有する。シグナリングデータ及び／又はユーザデータが存在する場合、無線端末のベースバンドチップは、ＰＡをオンにする制御を実行する。リンク確立要求の送信が終了した後に、ベースバンドチップは、ＰＡをオフにする制御を実行する。それにより、ＰＡ及び無線端末の電力消費を効率的に削減する。
【０１３２】
本発明の実施形態１５は、データ送信システムを提供する。ここで、無線端末は、無線端末及び無線ネットワーク側装置を有する。無線端末及び無線ネットワーク側装置は、通信接続中である。無線ネットワーク側装置は、特に、無線ネットワーク側に置かれる基地局装置であっても良い。したがって、無線端末の特定の実施方法では、実施形態１３で説明した無線端末の実施方法が参照され、ここでは詳細は繰り返さない。
【０１３３】
本発明の実施形態１６は、データ送信システムを提供する。ここで、データ送信システムは、データ送信装置及び無線ネットワーク側装置を有する。データ送信装置及び無線ネットワーク側装置は、通信接続中である。無線ネットワーク側装置は、特に、無線ネットワーク側に置かれる基地局装置であっても良い。したがって、データ送信装置の特定の実施方法では、実施形態１４で説明したデータ送信装置の実施方法が参照され、ここでは詳細は繰り返さない。
【０１３４】
本発明の実施形態１７は、コンピュータ可読記憶媒体を提供する。コンピュータはコンピュータプログラムコードを格納し、コンピュータプログラムコードがコンピュータにより実行されると、コンピュータプログラムコードは、該コンピュータに、本発明の実施形態１、実施形態２、実施形態７又は実施形態１２の方法のステップを実行させ得る。
【０１３５】
本発明の実施形態１８は、コンピュータプログラムを提供する。コンピュータプログラムはコンピュータプログラムコードを有し、コンピュータプログラムコードがコンピュータにより実行されると、コンピュータプログラムコードは、該コンピュータに、本発明の実施形態１、実施形態２、実施形態７又は実施形態１２の方法のステップを実行させ得る。
【０１３６】
明らかに、当業者は、本発明の範囲から逸脱することなく本発明に種々の変更及び変形をなし得る。以上から、本発明は、本発明のこれらの変更及び変形により提供されるこれらの変更及び変形を、添付の特許請求の範囲及びその等価物の範囲内に包含するものである。
【符号の説明】
【０１３７】
４０１  ベースバンドチップ
４０２  ＰＡ
４０３  アンテナ
４０４  第１のメモリ
４０５  通信機
４０６  アプリケーションプロセッサ
４０７  第２のメモリ
５０１  第１のユニット
５０２  第２のユニット
５０３  第３のユニット
５０４  第４のユニット
５０５  第５のユニット
５０６  第６のユニット
５０７  第７のユニット
６０１  無線ネットワーク側装置
６０２  無線端末
７０１  無線ネットワーク側装置
７０２  データ送信装置
【図１】
0005744332.tif 000002
【図２】
0005744332.tif 000003
【図３】
0005744332.tif 000004
【図４】
0005744332.tif 000005
【図５】
0005744332.tif 000006
【図６】
0005744332.tif 000007
【図７】
0005744332.tif 000008